(57)【要約】【課題】  被検レンズが単焦点レンズか累進屈折力レンズか否かを精度良く自動的に判定する。【解決手段】  眼鏡フレームの上端または下端をレンズ当てに当接させた状態にて枠入れされた被検レンズをノーズピース上に載置し、測定光束を被検レンズに投光して被検レンズを透過する測定光束を複数の指標像からなる指標パターン像として受光素子に受光し被検レンズの光学特性を測定する測定光学系を持つレンズメータにおいて、前記被検レンズに対して上下方向に並ぶ各指標像の間隔を定量的に求める像位置検出手段と、各指標像の間隔が前記上下方向に対して増加または減少傾向にあるか否かによって、該被検レンズが累進屈折力レンズであるか単焦点レンズであるかを判定する判定手段と、前記被検レンズが累進屈折力レンズであると判定されたときには、累進屈折力レンズであることを表示する表示手段とを備える。【選択図】      図５
2006292687.tif 000002
【特許請求の範囲】
【請求項１】
眼鏡フレームの上端または下端をレンズ当てに当接させた状態にて枠入れされた被検レンズをノーズピース上に載置し、測定光束を被検レンズに投光して被検レンズを透過する測定光束を複数の指標像からなる指標パターン像として受光素子に受光し被検レンズの光学特性を測定する測定光学系を持つレンズメータにおいて、
前記指標パターン像が投影された受光素子からの出力信号に基づいて前記被検レンズに対して上下方向に並ぶ各指標像の間隔を定量的に求める像位置検出手段と、
該像位置検出手段によって定量的に求められた各指標像の間隔が前記上下方向に対して増加または減少傾向にあるか否かによって、該被検レンズが累進屈折力レンズであるか単焦点レンズであるかを判定する判定手段と、該判定手段により前記被検レンズが累進屈折力レンズであると判定されたときには、累進屈折力レンズであることを表示する表示手段とを備えることを特徴とするレンズメータ。
【請求項２】
請求項１のレンズメータにおいて、前記判定手段により前記被検レンズが累進屈折力レンズであると判定された場合、前記像位置検出手段によって定量的に求められた各指標像の間隔の増加方向、または加入度数の増加方向に基づいて，前記被検レンズの測定光路への配置状態における上下方向の正誤を判定する上下方向判定手段を備え、前記表示手段は前記上下方向判定手段の判定結果に基づいて少なくとも一方の判定結果を表示することを特徴とするレンズメータ。
【請求項３】
請求項１のレンズメータにおいて、前記判定手段は前記像位置検出手段によって定量的に求められた各指標像の間隔が前記上下方向に対して増加または減少傾向であって且つ連続的な増加・減少でない場合には、前記被検レンズ上に傷または汚れがある旨を前記表示手段に表示させることを特徴とするレンズメータ。
【請求項４】
眼鏡フレームの上端または下端をレンズ当てに当接させた状態にて枠入れされた被検レンズをノーズピース上に載置し、測定光束を被検レンズに投光して被検レンズを透過する測定光束を複数の指標像からなる指標パターン像として受光素子に受光し被検レンズの光学特性を測定する測定光学系を持つレンズメータにおいて、
前記指標パターン像が投影された受光素子からの出力信号に基づいて光学特性の分布を求める光学特性分布取得手段と、
該光学特性分布取得手段により得られた前記光学特性分布が前記被検レンズの上下方向に対して増加または減少傾向にあるか否かによって、該被検レンズが単焦点レンズであるか累進屈折力レンズであるかを判定する判定手段と、該判定手段により前記被検レンズが累進屈折力レンズであると判定されたときには、累進屈折力レンズであることを表示する表示手段とを備えることを特徴とするレンズメータ。
【発明の詳細な説明】
【技術分野】
【０００１】
本発明は、眼鏡レンズの光学特性を測定するレンズメータに関する。
【背景技術】
【０００２】
眼鏡レンズの光学特性を測定するレンズメータにおいて、被検レンズの誤判別を無くすべく、所定の載置台に載置された被検レンズが単焦点レンズか累進屈折力レンズ（以下、累進レンズとする）か否かを自動的に判定し、累進レンズと判定されたときには、累進帯、遠用部、及び測定部位を示すパターンを表示部に表示するものが提案されている（特許文献１）。この場合、４つの異なる測定部位の光学特性（プリズム値、球面度数、円柱度数、軸角度）をそれぞれ算出し、各領域の光学特性を比較することにより、各測定部位の光学特性がプリズム値に対してほぼ変化が無いか否かによって被検レンズの種類を判別している。
【特許文献１】特開平７−１９９９８号公報
【発明の開示】
【発明が解決しようとする課題】
【０００３】
しかしながら、上記特許文献１のように、各測定部位の光学特性がプリズム値に対してほぼ変化が無いか否かによって被検レンズの種類を判別を行う場合、被検レンズの測定領域内にキズや汚れ等があると、自動判別に誤認が生じる場合がある。すなわち、測定領域内にキズを持つ単焦点レンズの判別を行った場合、キズの影響によって各測定部位の光学特性がプリズム値に対してほぼ変化がない状態ではなくなり、誤って累進レンズと判定してしまう恐れがある。
【０００４】
本発明は、上記問題点を鑑み、被検レンズが単焦点レンズか累進屈折力レンズか否かの自動的判定を精度良く行うことのできるレンズメータを提供することを技術課題とする。
【課題を解決するための手段】
【０００５】
上記課題を解決するために、本発明は以下のような構成を備えることを特徴とする。
【０００６】
（１）  眼鏡フレームの上端または下端をレンズ当てに当接させた状態にて枠入れされた被検レンズをノーズピース上に載置し、測定光束を被検レンズに投光して被検レンズを透過する測定光束を複数の指標像からなる指標パターン像として受光素子に受光し被検レンズの光学特性を測定する測定光学系を持つレンズメータにおいて、前記指標パターン像が投影された受光素子からの出力信号に基づいて前記被検レンズに対して上下方向に並ぶ各指標像の間隔を定量的に求める像位置検出手段と、該像位置検出手段によって定量的に求められた各指標像の間隔が前記上下方向に対して増加または減少傾向にあるか否かによって、該被検レンズが累進屈折力レンズであるか単焦点レンズであるかを判定する判定手段と、該判定手段により前記被検レンズが累進屈折力レンズであると判定されたときには、累進屈折力レンズであることを表示する表示手段とを備えることを特徴とする。
（２）  （１）のレンズメータにおいて、前記判定手段により前記被検レンズが累進屈折力レンズであると判定された場合、前記像位置検出手段によって定量的に求められた各指標像の間隔の増加方向、または加入度数の増加方向に基づいて，前記被検レンズの測定光路への配置状態における上下方向の正誤を判定する上下方向判定手段を備え、前記表示手段は前記上下方向判定手段の判定結果に基づいて少なくとも一方の判定結果を表示することを特徴とする。
（３）  （１）のレンズメータにおいて、前記判定手段は前記像位置検出手段によって定量的に求められた各指標像の間隔が前記上下方向に対して増加または減少傾向であって且つ連続的な増加・減少でない場合には、前記被検レンズ上に傷または汚れがある旨を前記表示手段に表示させることを特徴とする。
（４）  眼鏡フレームの上端または下端をレンズ当てに当接させた状態にて枠入れされた被検レンズをノーズピース上に載置し、測定光束を被検レンズに投光して被検レンズを透過する測定光束を複数の指標像からなる指標パターン像として受光素子に受光し被検レンズの光学特性を測定する測定光学系を持つレンズメータにおいて、前記指標パターン像が投影された受光素子からの出力信号に基づいて光学特性の分布を求める光学特性分布取得手段と、該光学特性分布取得手段により得られた前記光学特性分布が前記被検レンズの上下方向に対して増加または減少傾向にあるか否かによって、該被検レンズが単焦点レンズであるか累進屈折力レンズであるかを判定する判定手段と、該判定手段により前記被検レンズが累進屈折力レンズであると判定されたときには、累進屈折力レンズであることを表示する表示手段とを備えることを特徴とする。
【発明の効果】
【０００７】
本発明によれば、被検レンズが単焦点レンズか累進屈折力レンズか否かを精度良く自動的に判定することができる。
【発明を実施するための最良の形態】
【０００８】
本発明の実施形態を図面に基づいて説明する。図１は本実施形態に係るレンズメータの外観略図である。
【０００９】
１はレンズメータ本体である。２はＬＣＤ等で構成されたディスプレイであり、測定結果やアライメント用のターゲット等の測定に必要な情報が表示される。２ａはディスプレイ２上におけるアライメント画面である。３は入力用のスイッチ部であり、ディスプレイ２上に表示されるスイッチ表示に対応したものを押すことにより、測定モードの切換え等の必要な入力指示を行うことができる。４は被検レンズＬＥが載置される載置部材としてのノーズピースである。５はレンズ押えであり、これを下に降ろすことでノーズピース４上に載せられたレンズＬＥを安定して保持することができる。
【００１０】
６は前後方向に移動可能なレンズ当てであり、眼鏡フレーム入りレンズＬＥの測定において左右フレームの下端（本明細書では、眼鏡枠やレンズの上下とは眼鏡を装用した状態での上下を意味するものとして使用する）に当接させることにより、ノーズピース４に安定して被検レンズＬＥを載置することができる。なお、本実施形態では、眼鏡フレームの下端をレンズ当て６に当接させることにより、ノーズピース４に載置する被検レンズＬＥの向きを特定させることができるが、これに限るものではない。眼鏡フレームの上端をレンズ当て６に当接させることで被検レンズの向きを特定してもよい。
【００１１】
７は印点機構である。８はレンズＬＥの光学特性データを読み取るためのＲＥＡＤスイッチである。スイッチ８を押すことにより、測定値がディスプレイ２にホールド表示されると共に、装置内部のメモリに記憶される。
【００１２】
図２は光学系と制御系の概略構成図である。１０は測定光学系であり、Ｌ１はその測定光軸である。測定光学系１０は、測定光源１１、コリメーティングレンズ１２、ミラー１３、一定の規則性を持った所定の指標パターン（例えば、図３参照）が形成された測定指標板であるグリッド板１４、２次元受光センサ１５を備える。グリッド板１４は本体１の保持部材１６に保持され、グリッド板１４の上にノーズピース４の開口４ａが位置する。なお、本実施形態におけるノーズピース開口４ａの開口は、直径８ｍｍの円形となっている。なお、測定指標板に形成される指標パターンの他の構成としては、例えば、規則正しく並んだ格子パターン等が考えられる。
【００１３】
図３は、グリッド板１４に形成された指標パターンの一例を示す図である。グリッド板１４の外径はノーズピース４の開口４ａの内径よりやや大きく形成されている。グリッド板１４の後面（受光センサ１５側の面）には、多数の円形孔からなる測定指標２０が形成されている。本実施例のおける測定指標２０は、測定光軸Ｌ１が通る中心位置に形成された中心孔２１と、その回りに格子状に配置された多数の小孔２２からなる。なお、中心孔２１は、他の孔２１の対応関係を特定するための基準指標、すなわち、レンズＬＥ無しの状態の「０Ｄ基準」に対して、レンズＬＥが置かれたときに対応する各ドット像を特定するための基準指標として使用される。また、受光センサ１５の受光面の外にある小孔２２は、被検レンズＬＥの測定光路に配置することによってプリズム度数が発生したときに、受光センサ１５に受光されるように設けられたものである。
【００１４】
測定光源１１からの光束は、コリメーティングレンズ１２により平行光束とされた後、ミラー１３により反射され、ノーズピース４上に載置されるレンズＬＥに投光される。そして、レンズＬＥを透過した光のうち、グリッド板１４の孔２１及び孔２２を通過した光束が受光センサ１５に指標パターン像として受光される（図４参照）。
【００１５】
受光センサ１５からの出力信号は、制御部４０に入力される。制御部４０には装置の電源投入時にレンズＬＥ無しの状態で検出される「０Ｄ基準」のドット像（指標像）の座標及び測定情報等を記憶するメモリ４２が接続されている。制御部４０はレンズＬＥが置かれていない場合に、受光センサ１５に入射した小孔２２のドット像の座標位置を基準にし、所定の屈折力を持つレンズＬＥを置いた場合の各ドット像の位置変化から、レンズＬＥの光学特性（球面度数Ｓ、柱面度数Ｃ、乱視軸角度Ａ、プリズム量Δ）を演算する。
【００１６】
例えば、プラス度数を持つ球面レンズを載置した場合には、被検レンズＬＥが無い場合に対して、各ドット像間の距離が小さくなった指標パターン像（ドットパターン像）が受光センサ１５上に投影される。一方、マイナス度数を持つ球面レンズを載置した場合には、被検レンズＬＥが無い場合に対して、各ドット像間の距離が大きくなった指標パターン像が受光センサ１５上に投影される。また、所定の乱視軸を持つ乱視レンズを載置したときには、レンズの持つ乱視軸および乱視度数に応じて楕円状に歪んだ指標パターン像が投影される。また、プリズム量Δは、レンズＬＥの中心ドット像又はその付近のドット像の平行移動量によって求められる。球面度数、柱面度数及びプリズムを持つレンズは、これらの複合と考えれば良い（特開昭５０−１４５２４９を参照）。
【００１７】
ここで、被検レンズＬＥの光学特性は、隣接する４つ（少なくとも３つ）のドット像を１組として求めることができる。従って、本装置の測定指標の構成によれば、ノーズピースの開口４ａ内にて複数の測定位置の情報が一度に得られ、ノーズピース開口４ａ内における光学特性分布が得られる。このため、累進レンズにおいては、現在の測定位置が遠用部にあるか否か、同様に現在の測定位置が近用部にあるか否か、あるいは累進帯にあるか否か等のアライメント状態が、効率良く検出できる。
【００１８】
なお、ノーズピース開口４ａ内等の所定領域の屈折度数分布を被検レンズの移動無しに測定可能な測定光学系は、図２に示した構成に限られるものでは無い。例えば、グリッド板１４は、レンズＬＥより光源１２側に配置しても良いし、光源１２をグリッド状に配置する構成であっても良い。屈折度数分布の測定としては、少なくとも測定光軸を中心に上下方向及び左右方向に測定位置を形成することが好ましい。
【００１９】
また、制御部４０は、ディスプレイ２の表示制御を行う。なお、以下の説明における現在の測定位置とは、複数の測定位置の内で測定光軸Ｌ１中心を意味するものとして使用する。例えば、現在の測定位置が近用部にあるとは、測定光軸Ｌ１上に被検レンズＬＥの近用部が位置していることを示す。
【００２０】
以上のような構成を備えるレンズメータにおいて、その動作について前述の自動判定モードを中心に説明する。ここで、検者によってノーズピース４上に被検レンズＬＥが載置されると、制御部４０は受光センサ１５に投影される指標パターン像の変化を基に、被検レンズＬＥが載置されたことを検出する。なお、本実施形態では、眼鏡フレームの下端をレンズ当て６に当接させた状態で被検レンズＬＥの光学特性を得ることを前提としている。
【００２１】
被検レンズＬＥの載置が検出されると、被検レンズが累進レンズもしくは単焦点レンズであるかの自動判定を開始する。なお、本実施形態において、制御部４０は、指標パターン像が投影された受光センサ１５からの出力信号に基づいて各指標像（ドット像）の像位置を検出し、被検レンズに対して上下方向に一列に並ぶ各指標像間の距離を演算処理により求める。
【００２２】
例えば、被検レンズＬＥが単焦点レンズである場合、受光センサ１５に投影された指標パターン像は、各指標像間の距離が等距離の関係となって受光センサ１５に投影される（例えば、図４の点線内を参照）。一方、ノーズピース４上に載置された被検レンズＬＥが累進レンズである場合、受光センサ１５に投影された指標パターン像は、累進帯の加入度の変化によって、上下方向の異なる位置に投影された各指標像間の距離が等距離の関係をくずした状態で受光センサ１５に投影される（例えば、図５（ａ）の点線内を参照）。
【００２３】
そこで、制御部４０は、上記のような単焦点レンズ載置時と累進レンズ載置時の各指標像間の位置関係の相違を利用して、載置されたレンズが単焦点レンズか累進レンズかどうかの判定を行う。すなわち、制御部４０は、受光センサ１５に投影された指標パターン像を基に被検レンズＬＥに対して上下方向に一列に並ぶ各指標像間の距離を算出し、算出結果から各指標像間の距離を比較し、所定の範囲において増加あるいは減少傾向にあれば、累進レンズであると判定する。一方、所定の範囲において増加あるいは減少傾向になければ単焦点レンズであると判定する。なお、本実施形態では判定に使用する上下方向の指標像の並び（指標列）は、図３に示すグリッド板１４の中央の指標列を用いるものとしてる。
【００２４】
さらに、詳しく述べると、例えば、図５に示すように、レンズ種類の判定に使用する指標列に並ぶ各指標像（ドット像）間の距離をＫ１〜Ｋ１０とした場合、図示するように、これらの指標像間の距離がＫ１＜Ｋ２＜Ｋ３＜…Ｋ８＜Ｋ９＜Ｋ１０のように連続的な増加（減少）が見られるようであれば、累進レンズの累進帯付近を検出したとし、被検レンズＬＥを累進レンズであると判定する（なお、他の指標像は省略した）。また、図６に示すように、途中の指標像が被検レンズＬＥ上の傷、埃、ゴミ等により、指標像間の距離が連続的に増加（減少）しなくとも、判定に用いる各指標像間の距離の関係が、増加傾向（減少傾向）を有していれば、制御部４０はこれを累進レンズとして自動判定する。また反対に、制御部４０は、このような増加傾向（減少傾向）が得られない場合には、単焦点レンズとして判定する。
【００２５】
このようにすれば、測定領域内にキズ等がある単焦点レンズに対して自動判定を行った際に、指標像の消失や欠け等の影響によって、各指標像間の距離が等距離の関係をくずしてしまうことにより、累進レンズと判定される可能性は軽減される。よって、自動判定の際の誤認を防止させることができる。
【００２６】
なお、上記のような連続的な増加を検出する場合、少なくとも被検レンズに対して上下方向に一列に並ぶ４つの指標像があれば足りるが、被検レンズＬＥの指標像間距離の突発的変化を除外するべく、ある程度広い領域で、かつ、多数の各指標像間の距離情報を得るのが好ましい。例えば、ノーズピース開口４ａの１／２に相当する４ｍｍ以上の範囲において、各指標像間の距離が増加傾向にあるか否かを検出するとよい。
【００２７】
なお、上記において自動判定の際の誤認を防止する手法について説明したが、各指標像の距離の間隔が上下方向に対して増加または減少傾向であって、かつ、連続的な増加・減少でない場合には、制御部４０は、傷や汚れのある累進レンズである可能性が高いとし、ディスプレイ２に被検レンズＬＥに傷や汚れ等がある旨のサインを表示するようにしてもよい。また、各指標像の距離が等距離の関係をくずした状態であって、かつ、各指標像の距離の間隔が上下方向に対して増加または減少傾向が得られない場合には、制御部４０は、傷や汚れのある単焦点レンズである可能性が高いとし、ディスプレイ２に被検レンズＬＥに傷や汚れ等がある旨のサインを表示するようにしてもよい。
【００２８】
また、本実施形態によれば、定量的に求められた各指標像の間隔の増加方向（加入度の増加方向であってもよい）に基づいて、ノーズピース４上に載置された被検レンズが上下方向に正しく設置されたか否かを判定することが可能である。すなわち、レンズ上方位置における指標像間の間隔が、レンズ下方位置における指標像間の間隔より小さければ、レンズＬＥの上下が逆に設置されていると判定される（例えば、図５（ａ）の指標パターンとは、逆の状態）。レンズＬＥの設置が上下逆であると判定されたときは、ディスプレイ２上にその旨の警告が表示される。
【００２９】
さらに、本実施形態では被検レンズの種類の判定に、各指標像間の距離を用いるものとしているが、これに限るものではなく、各指標像の間隔を定量的に求め、これを判定の材料に用いればよい。例えば、被検レンズに対して上下方向に一列に並ぶ各指標像の上下方向の座標を用いることもできる。
【００３０】
また、被検レンズが柱面度数を持つ場合、被検レンズに対して上下方向に並ぶ指標像は、乱視度数の影響を受け、若干傾く可能性があるが、このような場合でも、指標像が一列に並ぶという文言の範疇に含めるものとしている。
【００３１】
さらにまた、判定に使用する指標列の指標像が被検レンズ上の傷や埃等の影響を大きく受けている場合には、隣の指標列の指標像を用いたり、複数の指標列における左右方向の指標像の位置の平均を求めて、上下方向の各指標像の間隔（距離）を求めることもできる。
【００３２】
以上、自動判定の際の誤認を防止するべく、制御部４０は各指標像の間隔が上下方向に対して増加または減少傾向にあるか否かによって、被検レンズＬＥの自動判定を行うものとしたが、このような判定手法自体は、ノーズピース開口４ａ内における光学特性分布を基に行うことも可能である。すなわち、ノーズピース開口４ａ内における光学特性分布を算出した結果、図７（ａ）〜（ｃ）に示すように測定された領域内のＳＥ値（等価球面値）またはＳ値の増加領域が、所定距離（例えば、４ｍｍ）以上あって、かつ、その間連続的な増加があった場合には、累進レンズと判定するものとする。なお、図８は測定領域内にキズや汚れがあった場合の単焦点レンズの光学特性の分布を示す図である。この場合、測定領域内においてＳＥ値自体に変化はあるが、連続的に増加しているとはいえない。すなわち、上記のような判定手法を用いれば、図８のような光学特性が得られた単焦点レンズを累進レンズと誤認して判定してしまうのを防止することができる。
【００３３】
また、図９は累進レンズの累進帯付近を測定した際の光学特性を測定した際の分布であって、測定領域内にキズや汚れがあった場合の光学特性の分布を示す図である。このようにレンズにキズがついていると各測定位置でのＳＥ値が必ずしも連続的に増加しているとはいえないが、隣接する測定位置毎のＳＥ値の変化が所定範囲以内であって、結果的に連続的にＳＥが変化している場合には、これを累進帯とみなし、被検レンズＬＥを累進レンズと判定する。このようにすれば、上記示した手法とほぼ同様の効果を得ることができる。この場合、上下方向の異なる３つの各測定位置において光学特性が得られるような構成であればよい。
【００３４】
なお、この場合においても、上記のようにして求められた光学特性分布が被検レンズの上下方向に対して増加または減少傾向であって、かつ、連続的な増加・減少でない場合には、制御部４０は、傷や汚れのある累進レンズである可能性が高いとし、ディスプレイ２に被検レンズＬＥに傷や汚れ等がある旨のサインを表示するようにしてもよい。また、上記のようにして求められた光学特性分布が、被検レンズの上下方向に対して変化があって、かつ、上下方向に対して増加または減少傾向が得られない場合には、制御部４０は、傷や汚れのある単焦点レンズである可能性が高いとし、ディスプレイ２に被検レンズＬＥに傷や汚れ等がある旨のサインを表示するようにしてもよい。
【００３５】
次に、自動判定により被検レンズが累進レンズ或いは単焦点レンズであると判定された場合において、その後の測定動作を以下に簡単に説明する。
【００３６】
累進レンズと判定された場合、検者へ累進レンズである旨の表示がなされ、自動的に累進レンズ測定モードに切り換わる（図１０、図１１参照）。図１０及び１１において、１００は累進レンズをイメージさせる累進帯のグラフィックを持つレンズマークであり、１０１は現在の測定位置を示す十字マークである。図１０は、遠用部へのアライメントを行う際に表示される表示画面であり、１０２は遠用部をイメージさせる遠用部マークである。この場合、図１０（ａ）〜（ｂ）に示すように、遠用部マーク１０２が十字マーク１０１の交点に向かうように被検レンズＬＥを動かす。そして、図１０（ｃ）に示すように、測定位置が遠用部に達したら、遠用部マーク１０２に代えて大十字マーク１０３を表示する。なお、図１１は、遠用部の光学特性を測定した後、近用部へのアライメントを行う際に表示される表示画面であり、１２０は近用部をイメージさせる近用部マークである。この場合、図１１（ａ）〜（ｃ）に示すように、近用部マーク１２０が十字マーク１０１の交点に向かうように被検レンズＬＥを動かす。そして、図１１（ｄ）に示すように、測定位置が近用部に達したら、近用部マーク１２０に代えて大十字マーク１２５を表示する。
【００３７】
また、単焦点レンズと判定された際には、画面表示はそのままで、ノーズピース４の中央部位置に相当する４点のドットから単一の測定値を求めるＰＯＩＮＴ測定に切り換わる。このとき、ターゲット２０２は現在の測定位置を示す位置に表示される（図１２参照）。この場合、検者は、ディスプレイ２を見ながら、ターゲット２０２が十字マーク２０１の交点に向かうように、被検レンズＬＥを動かす。
【００３８】
このように本実施形態によれば、被検レンズをノーズピース４上に載せただけで、被検レンズが単焦点レンズか累進レンズか否かを自動的に判定でき、検者が判断する手間を減らすことができる。また、上記のように測定モードの切換と共にディスプレイ４の表示画面を制御することにより、スムーズに被検レンズＬＥの光学特性の測定に移行することができる。
【００３９】
なお、累進レンズと判定されたときに、自動的に累進レンズ測定モードに切り替わるのではなく、表示画面に切り替えるか否かのメッセージを表示しておき、検者のスイッチ操作によって図１０等の表示に切換えるような構成としても良い。
【図面の簡単な説明】
【００４０】
【図１】本実施形態に係るレンズメータの外観略図である。
【図２】本実施形態に係るレンズメータの光学系と制御系の概略構成図である。
【図３】グリッド板に形成された指標パターンの一例を示す図である。
【図４】受光センサに投影された指標パターン像を示す図である。
【図５】被検レンズＬＥが累進レンズである場合に、受光センサに投影された指標パターン像の一例と、各指標像間の間隔を示すグラフである。
【図６】被検レンズＬＥが傷等のある累進レンズである場合に、受光センサに投影された指標パターン像の一例と、各指標像間の間隔を示すグラフである。
【図７】累進レンズと判定される場合の光学特性分布を示す図である。
【図８】測定領域内にキズや汚れがあった場合の単焦点レンズの光学特性の分布を示す図である。
【図９】累進レンズの累進帯付近を測定した際の光学特性を測定した際の分布であって、測定領域内にキズや汚れがあった場合の光学特性の分布を示す図である。
【図１０】累進レンズ測定モードにおいて遠用部へのアライメントを行う際の表示画面を示す図である。
【図１１】累進レンズ測定モードにおいて近用部へのアライメントを行う際の表示画面を示す図である。
【図１２】単焦点レンズ測定モードの表示画面を示す図である。
【符号の説明】
【００４１】
１  レンズメータ
２  ディスプレイ
４  ノーズピース
６  レンズ当て
１０  測定光学系
１４  グリット板
１５  受光センサ
４０  制御部
ＬＥ  被検レンズ
【図１】
2006292687.tif 000003
【図２】
2006292687.tif 000004
【図３】
2006292687.tif 000005
【図４】
2006292687.tif 000006
【図５】
2006292687.tif 000007
【図６】
2006292687.tif 000008
【図７】
2006292687.tif 000009
【図８】
2006292687.tif 000010
【図９】
2006292687.tif 000011
【図１０】
2006292687.tif 000012
【図１１】
2006292687.tif 000013
【図１２】
2006292687.tif 000014